(57)【要約】  【課題】牽引力を受けるパッドが患者の腰部からずれにくいようにする。  【解決手段】患者Ｋの腰部に当てられるパッド１０と、パッド１０を患者Ｋの腰部に押しつけておくための周方向ベルト２０と、周方向ベルト２０と交差する方向に伸びてパッド１０を牽引機４０に連結させるための牽引用ベルト３０と、を備えている。パッド１０の内表面に、内表面に比して摩擦抵抗が大きく設定された滑り止め部５０が形成されている、滑り止め部５０は、例えば、周方向ベルト２０に対応した位置に、テープ状として形成することができる。【選択図】  図４
2008061936.tif 000002
【特許請求の範囲】
【請求項１】
患者の腰部に当てられるパッドと、該パッドを患者の腰部に押しつけておくための周方向ベルトと、該前記周方向ベルトと交差する方向に伸びて該パッドを牽引機に連結させるための牽引用ベルトと、を備えた椎牽引用装具において、
前記パッドの内表面に、該内表面に比して摩擦抵抗が大きく設定された滑り止め部が形成されている、
ことを特徴とする腰椎牽引用装具。
【請求項２】
請求項１において、
前記滑り止め部が、牽引方向と略直交する方向に直線状に形成されている、ことを特徴とする腰椎牽引用装具。
【請求項３】
請求項２において、
前記周方向ベルトが、前記パッドの外表面に対して、それぞれ牽引方向と略直交するようにかつ互いに牽引方向に間隔をあけて複数本設けられ、
前記滑り止め部が、前記パッドの外表面から見たときに、前記各周方向ベルトと重なる位置にのみ設けられている、
ことを特徴とする腰椎牽引用装具。
【請求項４】
請求項１ないし請求項３のいずれか１項において、
前記パッドが、防水性を有する部材によって形成されて前記周方向ベルトおよび牽引用ベルトが装着されるカバー部材と、前記カバー部材の内表面側に一体化されて該カバー部材よりも厚肉とされた軟質部材からなる内側部材と、を有しており、
前記滑り止め部が、滑り止めテープによって構成されて、前記内側部材に対して縫合されている、
ことを特徴とする腰椎牽引用装具。
【請求項５】
請求項４において、
前記カバー部材の外周縁部と内側部材の外周縁部とが、周方向全長に渡って該カバー部材および内側部材に縫合された縁取り部材によって被覆されており、
前記滑り止めテープは、その全長に渡って前記内側部材に縫合されており、
前記滑り止めテープの各端部が、前記カバー部材の外周縁部および内側部材の外周縁部と共に前記縁取り部材によって覆われた状態で該カバー部材および内側部材と共に縫合されている、
ことを特徴とする腰椎牽引用装具。
【請求項６】
請求項４または請求項５において、
前記滑り止めテープは、柔軟性を有するテープ状の基布に対して、糸状弾性体が該基布の長手方向に沿ってかつ該基布の一面側に突出するように配列させた構成とされている、ことを特徴とする腰椎牽引用装具。
【請求項７】
請求項１において、
前記滑り止め部が、前記パッドの内表面の全面に渡って形成されている、ことを特徴とする腰椎牽引用装具。
【請求項８】
請求項７において、
前記滑り止め部は、柔軟性する基布に対して、糸状弾性体が前記周方向ベルトの配設方向に沿ってかつ該基布の一面側に突出するように配列させた構成とされている、ことを特徴とする腰椎牽引用装具。
【発明の詳細な説明】
【技術分野】
【０００１】
本発明は、腰椎を引張するときに用いる腰椎牽引用装具に関するものである。
【背景技術】
【０００２】
腰痛治療等のために、腰椎を引張つまり牽引することが広く一般に行われている。腰椎牽引のために、患者の腰部には腰椎牽引用装具が装着されて、この腰椎牽引用装具を介して、牽引機によって牽引されることになる（特許文献１参照）。腰椎牽引用装具は、患者の腰部に装着される例えば左右一対のパッドと、該パッドを腰部に対して押しつけておくための周方向ベルトと、パッドを牽引機に対して連結させるための連結用ベルトとを備えている。使用に際しては、患者の左右の腰部に左右一対のパッドをあてがった後、周方向ベルトでもってパッドを患者の腰部に押しつけた状態とし、この後、患者が牽引用ベッドに仰向け姿勢となった状態で牽引用ベルトが牽引機に連結されて、牽引が行われることになる。なお、特許文献２には、糸状弾性体を利用した滑り止めテープの一例が開示されている。
【特許文献１】特開２００６−１４１６９３号公報
【特許文献２】特開２００２−２４９９１１号公報
【発明の開示】
【発明が解決しようとする課題】
【０００３】
ところで、牽引力は相当に大きいものであり、そのため、牽引中に、パッドが患者の腰部から少なからずずれてしまうという事態が発生し易いものとなる（パッドが患者の足下方向へ移動する事態）。パッドがすれそうになると、周方向ベルトを強く締め直すことも行われているが、牽引治療は途中で中止しにくためにそのまま牽引を続行しているのが実情である。このため、周方向ベルトを締め直したとしても、初期の装着位置からずれた状態のまま牽引を続行せざるを得ないものとなっていた。このようなパッドのずれ防止のために、あらかじめ初期の装着状態のときに、周方向ベルトを強く締めておくことも考えられるが、この場合は患者に大きな圧迫感を与えてしまう可能性が高いものとなる。
【０００４】
本発明は以上のような事情を勘案してなされたもので、その目的は、牽引力を受けるパッドが患者の腰部からずれにくいようにした腰椎牽引用装具を提供することにある。
【課題を解決するための手段】
【０００５】
前記目的を達成するため、本発明にあっては次のような解決手法を採択してある。すなわち、特許請求の範囲における請求項１に記載のように、
患者の腰部に当てられるパッドと、該パッドを患者の腰部に押しつけておくための周方向ベルトと、該前記周方向ベルトと交差する方向に伸びて該パッドを牽引機に連結させるための牽引用ベルトと、を備えた椎牽引用装具において、
前記パッドの内表面に、該内表面に比して摩擦抵抗が大きく設定された滑り止め部が形成されている、
ようにしてある。
【０００６】
上記解決手法によれば、滑り止め部によってパッドが患者の腰部からずれにくくなっているので、周方向ベルトを極端に強く締めつけなくても、牽引治療中にパッドがずれてしまう事態を防止することができる。
【０００７】
上記解決手法を前提とした好ましい態様は、特許請求の範囲における請求項２以下に記載のとおりである。すなわち、
前記滑り止め部が、牽引方向と略直交する方向に直線状に形成されている、ようにしてある（請求項２対応）。この場合、牽引力に抗した滑り止め機能を効果的に発揮させる上で好ましいものとなる。
【０００８】
前記周方向ベルトが、前記パッドの外表面に対して、それぞれ牽引方向と略直交するようにかつ互いに牽引方向に間隔をあけて複数本設けられ、
前記滑り止め部が、前記パッドの外表面から見たときに、前記各周方向ベルトと重なる位置にのみ設けられている、
ようにしてある（請求項３対応）。この場合、周方向ベルトによって締め付けられる部分にのみ滑り止め部が配設されているので、滑り止め機能を極めて効果的に発揮させつつ、滑り止め部の面積を極力小さくして、パッドの患者への装着感を悪化させないようにする上で好ましいものとなる。
【０００９】
前記パッドが、防水性を有する部材によって形成されて前記周方向ベルトおよび牽引用ベルトが装着されるカバー部材と、前記カバー部材の内表面側に一体化されて該カバー部材よりも厚肉とされた軟質部材からなる内側部材と、を有しており、
前記滑り止め部が、滑り止めテープによって構成されて、前記内側部材に対して縫合されている、
ようにしてある（請求項４対応）。この場合、既存の腰椎牽引用装具に対して、市販の滑り止めテープを利用して滑り止め機能をもたせることができる。
【００１０】
前記カバー部材の外周縁部と内側部材の外周縁部とが、周方向全長に渡って該カバー部材および内側部材に縫合された縁取り部材によって被覆されており、
前記滑り止めテープは、その全長に渡って前記内側部材に縫合されており、
前記滑り止めテープの各端部が、前記カバー部材の外周縁部および内側部材の外周縁部と共に前記縁取り部材によって覆われた状態で該カバー部材および内側部材と共に縫合されている、
ようにしてある（請求項５対応）。この場合、パッドの外周縁部がその全長に渡って縁取り部材によって被覆されて外観上の見栄えが向上されると共に、滑り止めテープをしっかりとパッドに一体化して、滑り止めテープがパッドから剥離してしまう事態を防止する上で好ましいものとなる（耐久性向上）。
【００１１】
前記滑り止めテープは、柔軟性を有するテープ状の基布に対して、糸状弾性体が該基布の長手方向に沿ってかつ該基布の一面側に突出するように配列させた構成とされている、ようにしてある（請求項６対応）。この場合、滑り止めテープを全体として極力柔軟なものとして、患者への装着感悪化を防止する上で好ましいものとなり、また糸状弾性体による大きな摩擦抵抗によって滑り止め機能も十分に発揮させることができる。
【００１２】
前記滑り止め部が、前記パッドの内表面の全面に渡って形成されている、ようにしてある（請求項７対応）。この場合、滑り止め機能を十分に発揮させることができる。
【００１３】
前記滑り止め部は、柔軟性する基布に対して、糸状弾性体が前記周方向ベルトの配設方向に沿ってかつ該基布の一面側に突出するように配列させた構成とされている、ようにしてある（請求項８対応）。この場合、糸状弾性体による大きな摩擦抵抗によって滑り止め機能も十分に発揮させることができる。
【発明の効果】
【００１４】
本発明によれば、滑り止め部の滑り止め機能によって、周方向ベルトを極端に強く締めつけなくても、牽引治療中にパッドがずれてしまう事態を防止することができる。
【発明を実施するための最良の形態】
【００１５】
図１〜図３において、腰椎牽引用装具Ｙは、左右一対のパッド１０と、２本の周方向ベルト２０と、各パッド１０毎に設けられた合計２本の牽引用ベルト３０とを有する。
【００１６】
左右一対のパッド１０は、患者Ｋの左右の腰部に装着される。牽引用ベルト３０は２本のベルト３１，３２からなり、このベルト３１，３２は、パッド１０の左右方向に隔置された状態で、パッド１０に対して縫合等によって一体化されている。そして、２本のベルト３１，３２が、その自由端部において集合されて、この集合部に連結用のリング３３が装着されている。このリング３３に対して、牽引機４０（図１において部分的に示される）からの伸びるワイヤあるいはロープが連結されて、パッド１０に対して牽引力が付与されることになる。
【００１７】
周方向ベルト２０は、牽引方向に間隔をあけてパッド１０に装着されており、牽引用ベルト３０と交差する部分において、牽引用ベルト３０を利用してパッド１０から外れないようにされている。より具体的には、牽引用ベルト３０は、周方向ベルト２０と交差する部分ではパッド１０への一体化が行われおらず、この部分を周方向ベルト２０が摺動自在に挿通されたものとなっている（図６参照）。これにより、周方向ベルト２０は、牽引用ベルト３０によって、パッド１０から脱落しないように装着されている。
【００１８】
周方向ベルト２０には、バックル２１が取付けられている。すなわち、バックル２１は、互いにワンタッチ操作で係脱される雄部２１Ａと雌部２１Ｂとを有し、雄部２１Ａが周方向ベルト２０の一端部に固定される一方、雌部２１Ｂが周方向ベルト２０の他端部に固定されている。なお、雄部２１Ａ付近において、周方向ベルト２０の長さ調整が可能となっている。
【００１９】
図４に示すように、パッド１０の内表面には、２本の滑り止めテープ５０が一体化されている。各滑り止めテープ５０は、周方向ベルト２０とほぼ同一幅とされて、周方向ベルト２０に対応した位置に固定されている。すなわち、パッド１０を外表面（あるいは内表面）側から見たときに、周方向ベルト２０と滑り止めテープ５０とがほぼ完全に重なるように位置設定されている。
【００２０】
パッド１０の詳細な構造について、図６，図７をも参照しつつ説明する。まず、パッド１０は、カバー部材１１と、カバー部材１１の内表面側に一体化された内側部材１２とを有し、内側部材１２の内表面に、前述の滑り止めテープ５０が一体化されている。
【００２１】
カバー部材１１は、例えば軟質の合成樹脂によって形成されて、十分に防水性を有し、しかも表面（外表面）が滑らかなものとされている。これにより、カバー部材１１は、軟質なことから患者Ｋの腰部の形状に十分に沿うように変形可能であり、しかも使用による汚れがつきにくく、汚れがついたときでも容易に洗浄できるものとなっている。
【００２２】
内側部材１２は、例えばウレタン等の合成樹脂によって形成されて、カバー部材１１よりも十分に厚肉とされ、しかもカバー部材１１よりもより一層柔軟性を有するものとなっている。これにより、患者Ｋの腰部に装着されたときに、腰部の形状になじむように容易に変形され、しかも圧迫感を患者Ｋに与えにくいものとなっている。なお、内側部材１２の内表面が、布等の表皮材によって被覆されたものであってもよい（装着感の向上）。
【００２３】
カバー部材１１と内側部材１２とは、例えば、接着材によって一体化されると共に、その外周縁部同士が縫合されている（縫合部分が符合Ｈ１で示される）。より具体的には、図６に示すように、カバー部材１１と内側部材１２とは、その外周縁部同士が重合されて、この重合された外周縁部が、縁取り部材１３によって被覆されている。そして、この被覆状態でもって、カバー部材１１の外周縁部と内側部材１２の外周縁部と縁取り部材１３とが互いに縫合されている。縁取り部材１３は、飾りとなるモール材であって、例えば柔軟性を有し、しかも磨り減りにくい強度的に優れた布等によって形成されている。
【００２４】
前述した滑り止めテープ５０は、その幅方向（図４上下方向）端部の２箇所でもって、内側部材１２に対して縫合されている。この縫合部分は、図４において符合Ｈ２で示されるが、縫合部分Ｈ２は、カバー部材１１によって被覆されてカバー部材１１側からは目視されないようになっている。なお、滑り止めテープ５０の幅方向中央部においても縫合を行う等、縫合箇所は適宜設定できるものである。また、滑り止めテープ５０の各端部は、内側部材１２の外周縁部と重なる位置にまで延長されていて、前述した縁取り部材１３によって被覆された状態で、カバー部材１１，内側部材１３と共に縫合されている（図６参照）。
【００２５】
前記滑り止めテープ５０は、例えば、次のような構成のものを用いることができる。すなわち、図５に示すように、柔軟性を有するテープ状の基布５１に対して、糸状弾性体５２が該基布５１の長手方向に沿ってかつ該基布５１の一面側（患者Ｋ側）に突出するように配列させた構成とされている。そして、このように糸状弾性体５２が３本並列に配設することにより構成される列が、１本の滑り止めテープ５０について、その幅方向に複数列（例えば５〜７列程度）配設されたものとなっている。図４には、各滑り止めテープ５０が、幅方向に５列形成されたものが示され、図５には、１列分の糸状弾性体５２が拡大して示される。なお、図５において、略楕円形状に見える部分が、糸状弾性体５２が基布５１から突出している部分となる。
【００２６】
以上のように構成された腰椎牽引用装具Ｙは、次のようにして使用される。すなわち、図２に示すように、左右一対のパッド１０を患者Ｋの左右の腰部に対して振り分けた状態で装着する（左右一対のパッド１０の間隔は、患者Ｋの腰回りの寸法に応じて調整される）。次いで、周方向ベルト２０でもって腰部を巻回させて、バックル２１を係合させる。この後、周方向ベルト２０の長さ調整を行って、パッド１０が適度な力でもって患者Ｋの腰部に押しつけられた状態とする。以上によって、患者Ｋに対する腰椎牽引用装具Ｙの装着が終了され、この状態では、立っている患者Ｋの左右の脚部に沿って牽引用ベルト３０が垂れ下がった状態となる。
【００２７】
腰椎牽引用装具Ｙが装着された患者Ｋは、図１に示すように、牽引用ベッドＢ上に仰向け姿勢となり、この状態で、牽引用ベルト３０（のリング３３）が牽引機４０に連結されて、腰部に対する牽引つまり治療が実行される。牽引治療中、牽引用ベルト３０を介してパッド１０には、牽引機４０の位置する方向つまり患者Ｋの足下方向へ大きな牽引力が作用して、パッド１０が患者Ｋの腰部から足下方向へ移動されようとする大きな力が作用する。しかしながら、滑り止めテープ５０によって、パッド１０が牽引治療中に不用意に足下方向へずれてしまう事態が防止されることになる。
【００２８】
滑り止めテープ５０は、周方向ベルト２０によって、患者Ｋに押しつけられる力が十分に作用するため、滑り止めテープ５０による滑り止め機能が十分に発揮されて、パッド１０のずれがより一層確実に防止されることになる。特に、滑り止めテープ５０の糸状弾性体５２によって、患者Ｋが衣服を着たままであっても、衣服に対して糸状弾性体５２が食い込むような作用を行って極めて大きな摩擦抵抗を発揮することとなり、極めて高い滑り止め効果が発揮される。
【００２９】
滑り止めテープ５０は、パッド１０の内表面のうち一部にしか存在しないため、滑り止めテープ５０の存在が患者Ｋに対して違和感を与えてしまうことを防止する上で好ましいものとなる。また、滑り止めテープ５０は、その長手方向全長に渡ってパッド１０に対して縫合Ｈ２されると共に、その長手方向各端部は、縁取り部材１３によって被覆された状態で他の部材に縫合Ｈ１されているので、パッド１０へ強固に一体化された状態が確保される。特に、滑り止めテープ５０は、その各端部から剥離し易いものとなるが、縁取り部材１３によってこの各端部を被覆しておくことにより、各端部からの剥離という事態を確実に防止することができる。
【００３０】
以上実施形態について説明したが、本発明は、実施形態に限定されるものではなく、特許請求の範囲の記載された範囲において適宜の変更が可能であり、例えば次のような場合をも含むものである。滑り止め部は、例えば、周方向ベルト２０の長手方向に間隔をあけた配置とし、しかも各配置された部分の形状を円形や楕円形にする等、適宜の形状を選択できる。周方向ベルト２０の数は適宜変更できるものである。パッド１０は、カバー部材１１と内側部材１２との分割構成とすることなく、１つの部材でもって構成するようにしてもよい。滑り止め部は、パッド内表面の全面に形成するようにしてもよく、この場合、例えばパッド１０の全面を覆うような幅広の滑り止めテープ５０を用意して、この幅広の滑り止めテープ５０をパッド形状に応じて切断して使用することができる。このような幅広の滑り止めテープ５０は、パッドに対して接着材による接着を行なったり、この接着と共にあるいは接着に代えてその外周縁部と共に内周面部分をも縫合によって一体化するのが好ましい。勿論、本発明の目的は、明記されたものに限らず、実質的に好ましいあるいは利点として表現されたものを提供することをも暗黙的に含むものである。
【図面の簡単な説明】
【００３１】
【図１】本発明による腰椎牽引用装具の使用例を示す斜視図。
【図２】本発明による腰椎牽引用装具を患者に装着した状態を示す斜視図。
【図３】本発明による腰椎牽引用装具をパッドの外表面側から見たときの全体展開図。
【図４】パッドの内表面側を示す平面図。
【図５】図４の滑り止めテープの詳細を示す要部拡大図。
【図６】図４のＸ６−Ｘ６線相当断面図。
【図７】図４のＸ７−Ｘ７線相当断面図。
【符号の説明】
【００３２】
Ｙ：腰椎牽引用装具
Ｋ：患者
Ｂ：牽引用ベッド
Ｈ１：縫合部分
Ｈ２：縫合部分
１０：パッド
１１：カバー部材
１２：内側部材
１３：縁取り部材
２０：周方向ベルト
２１：バックル
３０：牽引用ベルト
４０：牽引機
５０：滑り止めテープ（滑り止め部）
５１：基布
５２：糸状弾性体
【図１】
2008061936.tif 000003
【図２】
2008061936.tif 000004
【図３】
2008061936.tif 000005
【図４】
2008061936.tif 000006
【図５】
2008061936.tif 000007
【図６】
2008061936.tif 000008
【図７】
2008061936.tif 000009